(57)【要約】      （修正有）【課題】フィールドに所望のラインを引く際に、準備や片付けが容易で視認しやすく、かつ、使用する場所を選ぶ事なく、ラインを引くことができるマーカーコーンを提供する。【解決手段】少なくとも２つのマーカー部材２と、２つの該マーカー部材２を間隔Ｄを空けてフィールド内に配置するとともに、該マーカー部材２間を互いに連結する少なくとも１本のライン部材３とを備えることで所望のラインを構成することを特徴とするライン付マーカー。【選択図】図１
2020044215.tif 000002
【特許請求の範囲】
【請求項１】
少なくとも２つのマーカー部材と、
２つの前記マーカー部材を間隔を空けて連結する少なくとも１本のライン部材と、を備えるライン付マーカー。
【請求項２】
請求項１に記載のライン付マーカーであって、
前記マーカー部材は、略円錐形をしており、
前記マーカー部材の高さ方向の半分より下方に前記ライン部材を接続する接続部を備える
ことを特徴とするライン付マーカー。
【請求項３】
請求項２に記載のライン付マーカーであって、
前記接続部は、前記マーカー部材の側面に形成された開口部からなる
ことを特徴とするライン付マーカー。
【請求項４】
請求項２に記載のライン付マーカーであって、
前記接続部は、前記マーカー部材の側面に上下に形成された上側の開口部と下側の切欠きとからなる
ことを特徴とするライン付マーカー。
【請求項５】
請求項２に記載のライン付マーカーであって、
前記接続部は、前記マーカー部材の側面に上下に形成された２つの開口部からなる
ことを特徴とするライン付マーカー。
【請求項６】
ライン部材と、
前記ライン部材に間隔を空けて固定された複数のマーカー部材と、を備えるライン付マーカー。
【請求項７】
請求項１から６のいずれか一項に記載のライン付マーカーであって、
前記ライン部材の幅は、前記マーカー部材の中央付近に設けられた孔の直径よりも狭い
ことを特徴とするライン付マーカー。
【請求項８】
請求項１から７のいずれか一項に記載のライン付マーカーであって、
前記マーカー部材は、前記ライン部材の長手方向と直交する方向に目印が設けられている
ことを特徴とするライン付マーカー。
【発明の詳細な説明】
【技術分野】
【０００１】
本発明は、ライン付マーカーに関する。
【背景技術】
【０００２】
一般的に、フィールド、グラウンド、又はコート（以下総称してフィールドと呼ぶ）内に所定の大きさのプレイエリアを区画する場合には、消石灰を用いてラインを引いたり、ロープを釘等で留めたりする。しかし、これらの方法は準備や片付けに手間がかかる。
【０００３】
そこで、簡便に準備や片付けをするために、サッカー等のスポーツの練習等で用いられるマーカーコーンを、プレイエリアを仕切る仮想的なラインの目印として使用する場合がある。例えば、マーカーコーンをフィールド内に等間隔で並べることにより即席のプレイエリアを作ることができる。
【０００４】
特許文献１には、円盤状のマーカーコーンが記載されている。
【先行技術文献】
【特許文献】
【０００５】
【特許文献１】実用新案登録第３１７６７６３号公報
【発明の概要】
【発明が解決しようとする課題】
【０００６】
しかしながら、間隔を空けてマーカーコーンを並べると、全体として歪んだラインとなってしまい、真っ直ぐなラインに調整するのに時間がかかる。また、マーカーコーン同士の間隔が空いている為、ボールやプレイヤーがラインを割ったのか否かが分かりにくい。
【０００７】
本発明の目的は、準備や片づけが容易で視認しやすく、使用する場所を選ばすにラインを引くことができるマーカーコーンを提供することにある。
【課題を解決するための手段】
【０００８】
本発明は、上記課題の少なくとも１つを解決するものであるが、その例を挙げるならば、次の通りである。すなわち、本発明の一態様であるライン付マーカーは、少なくとも２つのマーカー部材と、２つのマーカー部材を間隔を空けて連結する少なくとも１本のライン部材とを備える。
【０００９】
マーカー部材は、略円錐形をしており、マーカー部材の高さ方向の半分より下方にライン部材を接続する接続部を備えていてもよい。
【００１０】
接続部は、マーカー部材の側面に形成された開口部からなっていてもよい。
【００１１】
接続部は、マーカー部材の側面に上下に形成された上側の開口部と下側の切欠きとからなっていてもよい。
【００１２】
接続部は、マーカー部材の側面に上下に形成された２つの開口部からなっていてもよい。
【００１３】
ライン部材と、ライン部材に間隔を空けて固定された複数のマーカー部材を備えるものであってもよい。
【００１４】
ライン部材の幅は、マーカー部材の中央付近に設けられた孔の直径よりも狭くてもよい。
【００１５】
マーカー部材は、ライン部材の長手方向と直交する方向に目印が設けられていてもよい。
【発明の効果】
【００１６】
本発明によれば、準備や片付けが容易で視認しやすく、使用する場所を選ばずにラインを引くことができるマーカーコーンを提供することができる。
【図面の簡単な説明】
【００１７】
【図１】第１実施形態に係るライン付マーカーの全体構成例を示す図である。
【図２】第１実施形態に係るマーカー部材の概略構成例を示す図である。
【図３】第１実施形態に係るマーカー部材の接続部の概略構成例を示す図である。
【図４】第１実施形態に係るライン付マーカーの使用態様の一例を説明する図である。
【図５】第１実施形態に係るライン付マーカーの使用方法の一例を説明する図である。
【図６】第１実施形態の変形例に係るマーカー部材の概略構成例を示す図である。
【図７】第１実施形態に係るライン付マーカーの使用の一例を示す図である。
【図８】第２実施形態に係るライン付マーカーの概略構成例を示す図である。
【図９】第３実施形態に係るライン付マーカーの概略構成例を示す図である。
【発明を実施するための形態】
【００１８】
本発明の実施形態の例について、以下、図に基づいて説明する。
【００１９】
［第１実施形態］
図１は、第１実施形態に係るライン付マーカー１の全体構成例を示す図であり、図２は、第１実施形態に係るマーカー部材２の概略構成例を示す図である。
【００２０】
ライン付マーカー１は、複数のマーカー部材２と、複数のライン部材３と、から構成される。マーカー部材２同士をライン部材３で接続することにより所定の長さのライン付マーカー１を構成し、マーカー兼ラインとして使用することができる。
【００２１】
本実施形態では、マーカー部材２同士の中心間の間隔Ｄが１ｍで、全体として７ｍのライン付マーカー１を１セットとして例示している。もちろんマーカー部材２同士の間隔や１セットの長さは限定されるものではない。例えば、マーカー部材２同士の間隔が３ｍであってもよいし、１セットの長さが１０ｍであってもよい。
【００２２】
マーカー部材２の形状は特に限定されないが、本実施形態では、内部を空洞とした略円錐形（円錐台形を含む）をしている。マーカー部材２の底部は、開口している。また、頂部には孔４が開けられている。マーカー部材２の材質は特に限定されないが、柔軟性と耐久性を備えるものが好ましく、例えば、ポリエチレン等の合成樹脂や熱可塑性エラストマーなどから成る。このように、踏んでも壊れにくく柔らかい材料を用いれば使用者が怪我をしにくくなる。なお、孔４は設けられていなくてもよい。
【００２３】
マーカー部材２は、その側面の頂部を挟んで対称となる２箇所に接続部５を備えている。接続部５は、マーカー部材２の高さ方向において底面に近い低い位置に設けられている。少なくとも、接続部５は、マーカー部材２の高さ方向において底面から半分程度の高さの間に設けられる。
【００２４】
接続部５は、上下２つの開口部６を有している。開口部６は、略長方形をしており、略長方形の長辺がマーカー部材２の底面と平行になるように設けられている。また、各開口部６は、略長方形の長辺が平行になるように設けられている。
【００２５】
ここで、ライン付マーカー１の端（始点、終点）に位置するマーカー部材２の接続部５は、１箇所であってもよい。もちろん、他のマーカー部材２と同様に２箇所設けられていてもよい。
【００２６】
ライン部材３は、平紐で構成される。ライン部材３の材質は特に限定されないが、例えば、ナイロン等のポリアミド合成樹脂などから成る。ライン部材３は、遠くからでも視認しやすいよう、目立つ色のものから成る。目立つ色であれば原色でも蛍光色でも良いが、ラインを引く面と同じ色にならないようにする。例えば、土のグラウンドなら茶色や緑色にならないようにする。ライン部材３の幅は、特に限定されないが、マーカー部材２の直径より広くならないようにする。例えば、マーカー部材２の頂部に開けられた孔４の直径より狭いものを使用する。後述するが、孔４の直径より幅の狭いライン部材３を使用すると、ライン付マーカーを収納する際に便利だからである。
【００２７】
なお、本実施形態では、ライン部材３は平紐を使用したが、ある程度の幅を有し、折り畳むことができれば、平紐でなくてもよい。
【００２８】
図３は、マーカー部材２の接続部５の概略構成例を示す図である。ライン部材３の端部を、一方の開口部６からマーカー部材２の中空内部に挿し込み、他方の開口部６からマーカー部材２の外に抜き出す。抜き出したライン部材３の端部を、マーカー部材２に挿し込まれる手前のライン部材３に接続する。このようにして、ライン部材３がマーカー部材２に取り付けられて外れないようにする。接続の仕方は、特に限定されない。公知の方法で簡単に外れないように留められていればどのような方法であってもよい。例えば、接着剤や加熱により接着したり、糸で縫いつけたり、面ファスナーやスナップボタン等で留めたりして接続される。
【００２９】
図３は、図の下側の開口部６にライン部材３を挿し込んで上側の開口部６から抜き出す例を示したが、もちろん逆であってもよい。あるいは、いずれか一方の開口部６からライン部材３を差し込んで、マーカー部材２の内壁面に接着してもよい。
【００３０】
また、開口部６は、略長方形でなくてもよい。例えば、ライン部材３が通る幅の切り込みであってもよい。上側の開口部６が略長方形で、下側の開口部６が下方に開放した切欠きであってもよい。また、開口部６は、１つであってもよい。
【００３１】
なお、本実施形態では、接続部５は開口部６を備えていたが、開口部６を備えていなくてもよく、接続部５でマーカー部材２とライン部材３がネジや接着剤等で接続されていてもよい。
【００３２】
ライン付マーカー１の設置及び片付けの仕方の例について説明する。
【００３３】
準備する者が１人の場合、始点のマーカー部材２を地面に置き、終点のマーカー部材２を地面に置いた始点のマーカー部材２から離れる方向に引っ張っていく。各マーカー部材２の間の各ライン部材３がおおよそ伸びたら、各ライン部材３が張るように始点又は終点のマーカー部材２を引いて調整する。もしくは、端部のマーカー部材２から順に地面に置いていき、一つ置くたびに置いたマーカー部材２を引っ張って、ライン部材３を真っ直ぐにしてラインを引くことができる。あるいは、準備する者が２人の場合は、両端部のマーカー部材２を互いに離れる方向に引っ張りながら地面に置けばよい。
【００３４】
図４は、本実施形態に係るライン付マーカー１の使用態様の一例を説明する図である。図４では、２つの隣り合うマーカー部材２とそれらを連結するライン部材３を地面に設置した状態を示している。マーカー部材２と接続している付近のライン部材３は地面から浮くが、他の部分のライン部材３は自重によって地面に向かって垂れ下がり、地面に接地する。これにより、使用者の足がラインに引っ掛かりにくくなり、怪我をする心配がない。本実施形態では、接続部５をマーカー部材２の底部近傍の高さに設けることにより、ライン部材３と地面の間の隙間を低減している。
【００３５】
片付けの際は、一端から他端までマーカー部材２を隣に位置するマーカー部材２の上に順に重ねていくだけで、簡易にライン付マーカー１をまとめることができる。あるいは、ライン部材３を引いてマーカー部材２を順に手繰り寄せて重ねれば、移動せずにマーカー部材２を回収することができ、ライン付マーカー１を手早く片づけることができる。
【００３６】
図５は、本実施形態に係るライン付マーカー１の使用方法の一例を説明する図である。図５に示すように、マーカー部材２を端から順に重ねていくと、ライン部材３の一部がマーカー部材２同士の間に挟まる状態でマーカー部材２を重ねることができ、ライン付マーカー１をコンパクトに収納することができる。例えば専用のスタンド（台座に棒部材が取り付けられたもの）の棒部材を、重ねられたマーカー部材２の孔４に挿入して（ライン部材３を上手く退けて挿入する）、一体的に収納してもよい。
【００３７】
ここで、幅がマーカー部材２の孔４の直径よりも狭い平紐をライン部材３として使用した場合、マーカー部材２を重ねても孔４がライン部材３で完全に塞がれてしまうことがないので、スタンドの棒部材を挿入し易い。ただし、収納方法はどのような方法であってもよいので、ライン部材３の幅は、特に限定されるものではない。
【００３８】
図７は、本実施形態に係るライン付マーカー１の使用の一例を示す平面図である。図７のサッカーフィールド８内の右上に示すように、２本のライン付マーカー１を所定の間隔で平行に並べて、練習用のラインを引くことができる。これらのライン付マーカー１の間がプレイエリアとして使用される。
【００３９】
以上、第１実施形態について説明した。本実施形態のライン付マーカー１によれば、準備や片付けが容易で視認しやすく、使用する場所を選ばずにラインを引くことができるライン付マーカーを提供することができる。
【００４０】
例えば、ライン付マーカー１のマーカー部材２を引っ張ればライン部材３が伸びて真っ直ぐなラインを簡便に引くことができる。また、地面等に直接ラインを描くことがないので、プレイエリアのサイズや位置を変更する場合に前のラインが残らず、ラインの誤認を防げる。さらに、マーカー部材２とライン部材３が繋がっているので、ラインがずれ難い。ライン付マーカー１は、端からマーカー部材２を重ねていけば簡単に片付けをすることができる。また、ライン付マーカー１は、マーカー部材２を重ねて収納できるので、携帯に便利となる。
【００４１】
ライン部材３は、目立つ色で構成されるため、使用者が見てわかりやすくなっている。また、ラインが明確となり、例えば、サッカーボールがラインを割ったか否かが分かりやすい。さらに、ライン付マーカー１は、両端にマーカー部材２を備えるので、マーカー部材２が目印となってラインの始点・終点の位置が分かりやすくなっている。
【００４２】
マーカー部材２の中心間の距離を１ｍになるように構成しておけば、ラインの長さが把握しやすく、所望の長さのラインを簡単に引くことができる。また、必要な長さのラインを引いて余分となったマーカー部材２とライン部材３は、例えばライン付マーカー１の端で重ねて収納しておける。そのため、使用中に余った部分が妨げとならず、快適に使用することができる。
【００４３】
ライン付マーカー１は、マーカー部材２を使用することができる場所であれば設置個所を選ばないので、野外に限らず室内で使用することもできるし、芝生、砂、コンクリート、人工の床材等の面上で使用することができる。
【００４４】
なお、本実施形態では、８個のマーカー部材２と７本のライン部材３を１セットのライン付マーカー１として例示したが、もちろん１セットのマーカー部材２とライン部材３の数は限定されるものではない。例えば、２つのマーカー部材２が１本のライン部材３で接続されたものを１セットとしてもよい。
【００４５】
ライン部材３は、マーカー部材２に対して着脱可能に構成されていてもよい。また、ライン部材３は、長さが調整できるように構成されていてもよい。長さ調整には、例えば、鞄のストラップや靴紐に用いられる長さ調整機構を採用すればよい。また、ライン付マーカー１は、巻き取り及び繰り出し機構を備え、ライン部材３の長さ調整及び巻き取り収納が可能であってもよい。巻き取り及び繰り出し機構には、例えば、メジャー（巻尺）に用いられるぜんまいばねを用いた巻き取り及び繰り出し機構を採用すればよい。巻き取り及び繰り出し機構は、自動巻き取りを停止するロック機構を備えてもよい。また、ライン部材３の長さを、例えばマーカー部材２の端部間の距離が１ｍとなるように形成して、ライン部材３のみで長さの測定ができるようにしてもよい。
【００４６】
接続部５は、マーカー部材２の高さ方向において高さの半分より下方に備えられていたが、頂部に近い高さ半分より上方に備えられていてもよい。例えば、ライン部材３がマーカー部材２の側面を沿って下方に向かい地面に接地するようになっていれば、接続部５の位置は、限定されない。
【００４７】
［第１実施形態の変形例］
図６は、第１実施形態の変形例に係るマーカー部材２の概略構成例を示す図である。図６（ａ）は、２つのマーカー部材２の平面図、図６（ｂ）は、使用の一例を示す図である。本変形例では、各マーカー部材２の側面に４つ（２対）の目印７が設けられている。
【００４８】
一対の目印７は、ライン部材３の長手方向と直交する方向に、マーカー部材２の頂部を挟んで対称となる位置に設けられる。他の対の目印７は、ライン部材３の長手方向に沿って、マーカー部材２の頂部を挟んで対称となる位置に設けられる。各目印７は、マーカー部材２の高さ方向に対してマーカー部材２の底面から約半分の高さまでの間に設けられ、好ましくは接続部５の上近傍に設けられる。
【００４９】
目印７の形状および形成方法は特に限定されない。例えば、凸状または凹状の目印７をマーカー部材２と一体形成してもよい。あるいは、目印７は、マーカー部材２にシールを貼りつけたものであってもよいし、塗料を塗ったものであってもよい。
【００５０】
目印７が設けられたマーカー部材２を備えるライン付マーカー１の使い方の例について説明する。まず、図６（ａ）に示すように、２セットのライン付マーカー１を用意する。そして、図６（ｂ）に示すように、一方のライン付マーカー１のいずれかのマーカー部材２（第１のマーカー部材２とする）を、他方のライン付マーカー１のいずれかのマーカー部材２（第２のマーカー部材２とする）に重ねる。このとき、第１のマーカー部材２の一対の目印７（ライン部材３の長手方向と直交する目印７）が、第２のマーカー部材２の一対の目印７（ライン部材３の長手方向に沿った目印７）に一致するように重ねる。このように重ねると、２つのライン付マーカー１で直角なラインを作ることができる
【００５１】
本変形例では、図６（ａ）に示すように、目印７はマーカー部材２の側面４箇所に設けられているが、目印７は、少なくとも一対、ライン部材３の長手方向と直交する位置に設けられていればよい。この場合は、第１のマーカー部材２の一対の目印７が、第２のマーカー部材２のライン部材３の長手方向と一致するように重ねればよい。
【００５２】
また、図６ではライン付マーカー１の端に位置するマーカー部材２を示したが、全てのマーカー部材２に目印７が付いていてもよく、少なくともライン付マーカー１の端となるマーカー部材２に目印７が付いていればよい。
【００５３】
なお、目印７は、マーカー部材２の孔４の縁部や側面の下縁部に切欠き等によって形成されていてもよい。
【００５４】
図７は、第１実施形態の変形例に係るライン付マーカー１の使用の一例を示す平面図である。図７のサッカーフィールド８内の下側に示すように、２本のライン付マーカー１の端同士を重ねて長辺を作り、この長辺の両端に直角に他の２本のライン付マーカー１の端を重ねて短辺を作る。これらのライン付マーカー１とサイドラインとで囲まれた矩形領域がプレイエリアとして使用される。
【００５５】
［第２実施形態］
図８は、第２実施形態に係るライン付マーカー１ａの概略構成例を示す図である。図８（ａ）は、ライン付マーカー１ａの平面図、図８（ｂ）は、ライン付マーカー１ａの側面図、図８（ｃ）は、ライン付マーカー１ａの変形例の側面図である。
【００５６】
図８（ａ）に示すように、ライン付マーカー１ａは、複数のマーカー部材２ａと、複数のライン部材３ａと、から構成される。マーカー部材２ａは、円盤状をしており、中央付近に孔４が開いている。図８（ｂ）に示すように、各ライン部材３ａの両端部には、それぞれ上下２つのマーカー部材２ａが挟むようにして固定されている。上下２つで一対のマーカー部材２ａ同士をライン部材３ａで接続することにより所定の長さのライン付マーカー１ａを構成している。
【００５７】
ライン部材３ａへのマーカー部材２ａの固定の仕方は限定されない。例えば、ネジや接着剤で固定する、マーカー部材２ａの平面に溝を設けてライン部材３ａを嵌め込んで固定する等、公知の方法で簡単に外れないように固定されていればよい。
【００５８】
図８（ｃ）に示すように、本実施形態の変形例では、マーカー部材２ａは、ライン部材３ａの端部のいずれか一方の面にのみ固定される。本変形例では、ライン部材３ａの下面にマーカー部材２ａの上面が固定されている。ライン部材３ａがマーカー部材２ａの下面に固定されていると、地面の硬さによってはマーカー部材２ａが滑りやすくなるので、このように構成されている。もちろん、芝生などの上では大きな問題はないので、ライン部材３ａがマーカー部材２ａの下面に固定されていてもよい。
【００５９】
［第３実施形態］
図９は、第３実施形態に係るライン付マーカー１ｂの概略構成例を示す図である。図９（ａ）は、ライン付マーカー１ｂの平面図、図９（ｂ）は、ライン付マーカー１ｂの側面図、図９（ｃ）は、ライン付マーカー１ｂの変形例の側面図である。
【００６０】
図９（ａ）に示すように、ライン付マーカー１ｂは、複数のマーカー部材２ａと、１本のライン部材３ｂと、から構成される。図９（ｂ）に示すように、１本のライン部材３ｂに上下２つで一対のマーカー部材２ａが間隔を空けて配置されている。各対のマーカー部材２ａは、ライン部材３ｂを上下から挟むようにして固定されている。本実施形態によれば、ライン部材３ｂが１本で済むため、ライン付マーカー１ｂの製造が容易となる。
【００６１】
図９（ｃ）に示すように、本実施形態の変形例では、ライン部材３ｂの一方の面にのみマーカー部材２ａが固定されていてもよい。本変形例では、ライン部材３ｂの下面にマーカー部材２ａの上面が固定されている。本変形例によれば、ライン部材３ｂを挟むようにマーカー部材２ａが固定される場合より、さらに簡易にライン付マーカー１ｂを製造することができる。
【００６２】
もちろん、第２及び第３実施形態においても、マーカー部材２ａの上面または下面に目印７が設けられていてもよい。なお、孔４は設けられていなくてもよい。
【００６３】
以上、本発明の実施形態及びその変形例を説明したが、上記に記載した実施形態及びその変形例は特許請求の範囲に係る発明を限定するものではない。上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本願発明の概念的な思想と趣旨を逸脱しない範囲で種々の追加、変更および部分的削除が可能である。
【符号の説明】
【００６４】
１，１ａ，１ｂ：ライン付マーカー
２，２ａ：マーカー部材
３，３ａ，３ｂ：ライン部材
４：孔
５：接続部
６：開口部
７：目印
８：サッカーフィールド
【図１】
2020044215.tif 000003
【図２】
2020044215.tif 000004
【図３】
2020044215.tif 000005
【図４】
2020044215.tif 000006
【図５】
2020044215.tif 000007
【図６】
2020044215.tif 000008
【図７】
2020044215.tif 000009
【図８】
2020044215.tif 000010
【図９】
2020044215.tif 000011
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
少なくとも２つのマーカー部材と、
２つの前記マーカー部材を間隔を空けて連結した少なくとも１本のライン部材と、を備えるライン付マーカー。
【請求項２】
請求項１に記載のライン付マーカーであって、
前記マーカー部材は、略円錐形をしており、
前記マーカー部材の高さ方向の半分より下方に前記ライン部材を接続した接続部を備える
ことを特徴とするライン付マーカー。
【請求項３】
請求項２に記載のライン付マーカーであって、
前記接続部は、前記マーカー部材の前記円錐形の外縁部に形成された開口部からなる
ことを特徴とするライン付マーカー。
【請求項４】
請求項２に記載のライン付マーカーであって、
前記接続部は、前記マーカー部材の前記円錐形の外縁部に上下に形成された上側の開口部と下側の切欠きとからなる
ことを特徴とするライン付マーカー。
【請求項５】
請求項２に記載のライン付マーカーであって、
前記接続部は、前記マーカー部材の前記円錐形の外縁部に上下に形成された２つの開口部からなる
ことを特徴とするライン付マーカー。
【請求項６】
請求項１に記載のライン付マーカーであって、
前記マーカー部材は、略円盤状をしている
ことを特徴とするライン付マーカー。
【請求項７】
請求項６に記載のライン付マーカーであって、
前記ライン部材は、前記マーカー部材の端部に固定されている
ことを特徴とするライン付マーカー。
【請求項８】
ライン部材と、
前記ライン部材に間隔を空けて固定された複数のマーカー部材と、を備えるライン付マーカー。
【請求項９】
請求項８に記載のライン付マーカーであって、
前記マーカー部材は、略円盤状をしている
ことを特徴とするライン付マーカー。
【請求項１０】
請求項１から９のいずれか一項に記載のライン付マーカーであって、
前記ライン部材の幅は、前記マーカー部材の中央付近に設けられた孔の直径よりも狭い
ことを特徴とするライン付マーカー。
【請求項１１】
請求項１から１０のいずれか一項に記載のライン付マーカーであって、
前記マーカー部材は、前記ライン部材の長手方向と直交する方向に目印が設けられている
ことを特徴とするライン付マーカー。